(57)【要約】【課題】本発明の課題は、利用者が支払決済前にその内容を確認でき、支払決済方法を選択することができる決済サービスを提供するシステムを提供することである。【解決手段】支払方法特定情報と残額データを記憶する非接触型ＩＣカードを内蔵する携帯端末装置と非接触型ＩＣカード読取書込器を有する支払決済装置とが無線接続される電子決済システムであって、前記支払決済装置は、請求額データと通信路情報を含む支払方法応答要求を携帯端末装置に送信し、開設した通信路を用いて、支払決済して、前記携帯端末装置は、支払決済装置が送信する支払方法応答要求を受信し、ＩＣカードが記憶する支払可能な支払方法特定情報の中から一つを選択させ、選択した支払方法特定情報の最も優先順位の高い通信路の開設請求を支払決済装置に返信し、開設された通信路を用いて、支払方法応答を送信することを特徴とする電子決済システムである。【選択図】図１
2009205234.tif 000002
【特許請求の範囲】
【請求項１】
非接触型ＩＣカードを内蔵する携帯端末装置と、非接触型ＩＣカード読取書込器を有する支払決済装置とが無線接続されて構成される電子決済システムであって、
前記支払決済装置は、
通信路情報を含む支払方法特定情報と、請求額データと、を記憶する記憶部と、
請求額データと支払方法特定情報とを含む支払方法応答要求を作成して、これを携帯端末装置に送信する応答要求手段と、
携帯端末装置が送信する通信路開設請求を受信して、請求された通信路を開設して、開設通知を返信する通信路開設手段と、
開設された通信路を用いて支払方法応答を受信して、支払方法応答に含まれる支払方法特定情報を抽出して、この抽出した支払方法特定情報と記憶部が記憶する請求額データとを用いて、支払決済する決済手段と、
を備える決済装置であって、
前記携帯端末装置は、
通信路情報と優先順位情報とを対応させた対応データを記憶する記憶部と、
支払方法特定情報と残額データを関連付けた管理データを記憶するＩＣカードと、
支払決済装置が送信する支払方法応答要求を受信する応答要求受付手段と、
応答要求受付手段が受信した支払方法応答要求に含まれる支払方法特定情報と、ＩＣカードが記憶する管理データの支払方法特定情報と比較して、支払可能な支払方法特定情報を抽出する支払方法候補抽出手段と、
支払方法候補抽出手段が抽出した支払方法特定情報の中から一つを選択させる支払方法選択手段と、
記憶部が記憶する対応データの通信路情報と優先順位情報とを参照して、支払方法選択手段が選択した支払方法特定情報に含まれる通信路情報の中から最も優先順位の高いものを抽出して、この抽出した通信路情報を含む通信路開設請求を支払決済装置に返信する通信路開設請求手段と、
支払決済装置が送信する開設通知を受信して、開設された通信路を用いて、支払方法選択手段が選択した支払方法特定情報を含む支払方法応答を送信する支払方法応答送信手段と、
を備える端末装置である
ことを特徴とする電子決済システム。
【請求項２】
前記支払決済装置は、
開設された通信路を用いて支払方法特定情報を含む残額更新指示を送信する更新情報送信手段
を備える決済装置であって、
前記携帯端末装置は、
開設された通信路を用いて残額更新指示を受信して、残額更新指示の支払方法特定情報を用いて、ＩＣカードが記憶する管理データの中の該当する支払方法特定情報に関連付けられた残額データを抽出して、この抽出した残額から請求額を減額して残高データを更新する残額データ更新手段、
を備える端末装置である、
ことを特徴とする請求項１に記載の電子決済システム。
【請求項３】
前記携帯端末装置は、
前記支払方法候補抽出手段が、さらに、抽出した支払方法特定情報の残額データをＩＣカードが記憶する管理データを参照して抽出して、この抽出した残額データと支払方法応答要求に含まれる請求額データとを比較して、残額データの値が小さくなければ、この残額データに関連づけられた支払方法特定情報を抽出する
ことを特徴とする請求項１または請求項２に記載の電子決済システム。
【請求項４】
通信路情報を含む支払方法特定情報と、請求額データと、を記憶する記憶部と、
非接触型ＩＣカード読取書込器と、
請求額データと支払方法特定情報とを含む支払方法応答要求を作成して、これを携帯端末装置に送信する応答要求手段と、
携帯端末装置が送信する通信路開設請求を受信して、請求された通信路を開設して、開設通知を返信する通信路開設手段と、
開設された通信路を用いて支払方法応答を受信して、支払方法応答に含まれる支払方法特定情報と記憶部が記憶する請求額データとを用いて、支払決済する決済手段と、
を備えることを特徴とする支払決済装置。
【請求項５】
開設された通信路を用いて支払方法特定情報を含む残額更新指示を送信する更新情報送信手段
を備えることを特徴とする請求項４に記載の支払決済装置。
【請求項６】
非接触型ＩＣカードを内蔵する携帯端末装置と、非接触型ＩＣカード読取書込器を有する支払決済装置とが無線接続されて構成される電子決済システムであって、
前記支払決済装置は、
通信路情報を含む支払方法特定情報と、請求額データと、を記憶する記憶部と、
請求額データと支払方法特定情報とを含む支払方法応答要求を作成して、これを非接触型ＩＣカードに送信する応答要求手段と、
携帯端末装置が送信する通信路開設請求を受信して、請求された通信路を開設して、開設通知を返信する通信路開設手段と、
開設された通信路を用いて支払方法応答を受信して、支払方法応答に含まれる支払方法特定情報を抽出して、この抽出した支払方法特定情報と記憶部が記憶する請求額データとを用いて、支払決済する決済手段と、
を備える決済装置であって、
前記非接触型ＩＣカードは、
支払決済装置が送信する支払方法応答要求を受信してこれを携帯端末装置に転送する応答要求受付手段と、
を備えるＩＣカードであって、
前記携帯端末装置は、
通信路情報と優先順位情報とを対応させた対応データを記憶する記憶部と、
支払方法特定情報と残額データを関連付けた管理データを記憶するＩＣカードと、
非接触型ＩＣカードが転送する支払方法応答要求を受信する応答要求受付手段と、
応答要求受付手段が受信した支払方法応答要求に含まれる支払方法特定情報と、ＩＣカードが記憶する管理データの支払方法特定情報と比較して、支払可能な支払方法特定情報を抽出する支払方法候補抽出手段と、
支払方法候補抽出手段が抽出した支払方法特定情報の中から一つを選択させる支払方法選択手段と、
記憶部が記憶する対応データの通信路情報と優先順位情報とを参照して、支払方法選択手段が選択した支払方法特定情報に含まれる通信路情報の中から最も優先順位の高いものを抽出して、この抽出した通信路情報を含む通信路開設請求を支払決済装置に返信する通信路開設請求手段と、
支払決済装置が送信する開設通知を受信して、開設された通信路を用いて、支払方法選択手段が選択した支払方法特定情報を含む支払方法応答を送信する支払方法応答送信手段と、
を備える端末装置である
ことを特徴とする電子決済システム。
【請求項７】
通信路情報を含む支払方法特定情報と、請求額データと、を記憶する記憶部と、
非接触型ＩＣカード読取書込器と、
請求額データと支払方法特定情報とを含む支払方法応答要求を作成して、これを非接触型ＩＣカードに送信する応答要求手段と、
携帯端末装置が送信する通信路開設請求を受信して、請求された通信路を開設して、開設通知を返信する通信路開設手段と、
開設された通信路を用いて支払方法応答を受信して、支払方法応答に含まれる支払方法特定情報と記憶部が記憶する請求額データとを用いて、支払決済する決済手段と、
を備えることを特徴とする支払決済装置。
【請求項８】
支払方法特定情報と残額データを関連付けた管理データを記憶するＩＣカードと、
請求額データと、
通信路情報と優先順位情報とを対応させた対応データと、
を用いる電子決済方法であって、
非接触型ＩＣカードを内蔵する携帯端末装置と、非接触型ＩＣカード読取書込器を有する支払決済装置とが無線接続されて構成される電子決済システムであって、
（１）支払決済装置は、支払方法特定情報と請求額データと通信路情報とを含む支払方法応答要求を作成して、これを携帯端末装置に送信する支払方法応答要求ステップと、
（２）携帯端末装置は、支払決済装置が送信する支払方法応答要求を受信する支払方法応答要求受付ステップと、
（３）携帯端末装置は、支払方法応答要求に含まれる支払方法特定情報と、ＩＣカードの管理データの支払方法特定情報と比較して、支払可能な支払方法特定情報を抽出する支払方法候補抽出ステップと、
（４）携帯端末装置は、支払方法候補抽出ステップで抽出した支払方法特定情報の中から一つを選択させる支払方法選択ステップと、
（５）携帯端末装置は、選択させた支払方法特定情報に対応付けられた通信路情報を抽出して、記憶部が記憶する対応データの通信路情報と優先順位情報とを参照して、この抽出された通信路情報の中から最も優先順位の高い通信路情報を抽出して、この抽出された通信路情報を含む通信路開設請求を支払決済装置に返信する通信路開設請求ステップと、
（６）支払決済装置は、携帯端末装置が送信する通信路開設請求を受信して、請求された通信路を開設して、開設通知を返信する通信路開設ステップと、
（７）携帯端末装置は、支払決済装置が送信する開設通知を受信して、開設された通信路を用いて、支払方法選択ステップで選択された支払方法特定情報を含む支払方法応答を送信する支払方法応答送信ステップと、
（８）支払決済装置は、開設された通信路を用いて支払方法応答を受信して、支払方法応答に含まれる支払方法特定情報と請求額データとを用いて、支払決済する電子決済ステップと、
を含んだ手順でなされることを特徴とする電子決済方法。
【請求項９】
（１）支払決済装置は、電子決済ステップにて支払決済した後に、開設された通信路を用いて支払方法特定情報を含む残額更新指示を送信する更新情報送信ステップと、
（２）携帯端末装置は、開設された通信路を用いて残額更新指示を受信して、残額更新指示の支払方法特定情報を用いて、ＩＣカードが記憶する管理データの中の該当する支払方法特定情報に関連付けられた残額データを抽出して、この抽出した残額から請求額を減額して残高データを更新する残額データ更新ステップと、
を含んだ手順でなされることを特徴とする請求項８に記載の電子決済方法。
【請求項１０】
前記支払方法候補抽出ステップが、さらに、抽出した支払方法特定情報の残額データをＩＣカードが記憶する管理データを参照して抽出して、この抽出した残額データと支払方法応答要求に含まれる請求額データとを比較して、残額データの値が小さくなければ、この残額データに関連づけられた支払方法特定情報を抽出する、
ことを特徴とする
ことを特徴とする手順を含んだ請求項８または請求項９に記載の電子決済方法。
【請求項１１】
コンピュータに組込むことによって、コンピュータを請求項１から３のいずれか１項に記載の電子決済システムとして動作させるコンピュータプログラム。
【請求項１２】
請求項１１に記載のコンピュータプログラムを記録したコンピュータ読取り可能な記録媒体。
【請求項１３】
コンピュータに組込むことによって、コンピュータを請求項４または請求項５に記載の支払決済装置として動作させるコンピュータプログラム。
【請求項１４】
請求項１３に記載のコンピュータプログラムを記録したコンピュータ読取り可能な記録媒体。
【請求項１５】
コンピュータに組込むことによって、コンピュータを請求項６または請求項７に記載の支払決済装置として動作させるコンピュータプログラム。
【請求項１６】
請求項１５に記載のコンピュータプログラムを記録したコンピュータ読取り可能な記録媒体。
【発明の詳細な説明】
【技術分野】
【０００１】
本発明は、携帯電話に代表される携帯端末装置を用いて利用者にサービスを提供するシステム、およびその方法、プログラム、媒体に関するものである。
本発明は特に非接触ＩＣカードを搭載した携帯電話を用いて、多様なサービスを利用する場合に有用である。
【背景技術】
【０００２】
現代の社会生活の様々な場面で、非接触ＩＣカードやこれを搭載した携帯電話に代表される携帯端末装置を用いた各種サービスの利用が増えている。
これらのサービスを利用するために、携帯端末装置の所有者が以下に説明するような電子決済装置に携帯端末装置をかざすことで、サービスの提供を受けている。
そこで、次にサービスの提供方法とその問題点を説明する。
《駅の自動改札》
定期券と電子マネーを搭載した携帯端末装置を自動改札機（＝電子決済装置）にかざすことで、改札（＝提供されたサービス）を行い、入退場することができる。
携帯端末装置をかざすだけで入退場ができて便利である半面、実際になにが起こったのかは持ち主にはわからず、持ち主の意図に反したことが行なわれている恐れがある。
たとえば、定期券の期限が切れている場合には、電子マネーによる乗車と解釈されるので、持ち主が望まなくても、自動的に電子マネーの残高より清算されてしまう。
《店舗の電子レジ》
携帯端末装置を電子マネーの財布として利用し、電子マネーを電子レジ（＝サービス提供装置）で支払う場合に、支払われる金額を確認してから携帯端末装置をリーダライタにかざして支払（＝提供されたサービス）をする。
しかしながら、この支払い方法は、従来の物理的な通貨と異なり、実際に支払われた金額が確認できず、支払った電子マネーの種類も確認できない。
・店舗や店員によって金額が口頭で告げられて、持ち主が携帯端末装置をかざした後に店員が金額をレジに入力して清算する場合には、店員のミスや悪意により、余分に金額が差し引かれて損害を被る可能性がある。
・複数のレジがある場合には、異なるレジに接続されたリーダライタに誤って携帯端末装置をかざしてしまい、レジの表示額とは異なる額で清算されて損害を被る可能性がある。
・複数の支払い方法の中から選択した場合に、実際に清算した支払い方法を確認できない。
【０００３】
《専用リーダライタ》
複数の機能（たとえば、電子チケットと個人証明証）を搭載した携帯端末装置の持ち主は、映画館の自動改札機では入場チケットとしてサービスを利用して、会社のゲートやパソコンでは個人証明証としてサービスを利用している。
このとき、持ち主は、これらのサービスが提供される場所が異なるために、提供されるサービスの違いを「暗黙的」に認識し、機器のリーダライタに携帯端末装置をかざして、サービスを利用している。このことは、サービスを提供する機関がそれぞれのサービス専用リーダライタを設置し、このサービス専用リーダライタに携帯端末装置がかざされることで、該当するサービスを提供していることを意味している。
あるいは、ひとつの店舗で多様な支払決済方法を提供するためには、現状では、それぞれの方法の支払決済用リーダライタを設置し、持ち主が所望の支払決済方法のリーダライタを選択して携帯端末装置をかざしている。
しかしながら、持ち主にとっては、リーダライタを選択しなければならず、利便性が損なわれる。
また、店舗にとっては、多数の支払決済用リーダライタを設置する費用が発生し、同時に設置スペースを確保する負担が生じる。
あるいは、ひとつの専用支払決済用リーダライタを用いて、多様な支払決済を提供することも、可能である。
たとえば、特許文献１では、第１の決済システムの携帯機器１０（たとえばクレジットカード）を用いて、提携していない第２の決済システムの加盟店２２で支払いをする場合に、第２のクレジットカードシステムの非接触コミュニケーター２２（電子レジ）に第１のクレジットカード１０を読ませて、第２の決済システムの伝送規格とデータ交換フォーマットを用いて、第１の決済システムの伝送規格とデータ交換フォーマットをエミュレートして、中央サービスオペレータ装置４８を介して、決済取引を実現する技術が開示されている。
【特許文献１】特表２００７−５３７５０６号公報（段落００２２、段落００４１−段落００５１、図３）
【発明の開示】
【発明が解決しようとする課題】
【０００４】
しかしながら、特許文献１の技術では、提携していないクレジットカードシステム同士の取引において、あるシステムの専用リーダライタを用いて提携していないクレジットカードを読み取って、中央サービスオペレータ装置が介在して、それぞれのシステムに固有のデータ形式やセキュリティや清算方法に変換する仕組みが複雑で大掛かりになる。
【０００５】
本発明は以上のような点を解決するためになされたものであって、本発明の課題は、
利用者が支払決済前にその内容を確認でき、支払決済方法を選択することができる決済サービスを提供するシステム、およびその方法、プログラム、媒体を提供することである。
【課題を解決するための手段】
【０００６】
本発明は、以下の各態様に記載の手段により、前記課題を解決する。
すなわち、本願発明の第１の発明は、非接触型ＩＣカードを内蔵する携帯端末装置と、非接触型ＩＣカード読取書込器を有する支払決済装置とが無線接続されて構成される電子決済システムであって、前記支払決済装置は、通信路情報を含む支払方法特定情報と、請求額データと、を記憶する記憶部と、請求額データと支払方法特定情報とを含む支払方法応答要求を作成して、これを携帯端末装置に送信する応答要求手段と、携帯端末装置が送信する通信路開設請求を受信して、請求された通信路を開設して、開設通知を返信する通信路開設手段と、開設された通信路を用いて支払方法応答を受信して、支払方法応答に含まれる支払方法特定情報を抽出して、この抽出した支払方法特定情報と記憶部が記憶する請求額データとを用いて、支払決済する決済手段と、を備える決済装置であって、前記携帯端末装置は、通信路情報と優先順位情報とを対応させた対応データを記憶する記憶部と、支払方法特定情報と残額データを関連付けた管理データを記憶するＩＣカードと、支払決済装置が送信する支払方法応答要求を受信する応答要求受付手段と、応答要求受付手段が受信した支払方法応答要求に含まれる支払方法特定情報と、ＩＣカードが記憶する管理データの支払方法特定情報と比較して、支払可能な支払方法特定情報を抽出する支払方法候補抽出手段と、支払方法候補抽出手段が抽出した支払方法特定情報の中から一つを選択させる支払方法選択手段と、記憶部が記憶する対応データの通信路情報と優先順位情報とを参照して、支払方法選択手段が選択した支払方法特定情報に含まれる通信路情報の中から最も優先順位の高いものを抽出して、この抽出した通信路情報を含む通信路開設請求を支払決済装置に返信する通信路開設請求手段と、支払決済装置が送信する開設通知を受信して、開設された通信路を用いて、支払方法選択手段が選択した支払方法特定情報を含む支払方法応答を送信する支払方法応答送信手段と、を備える端末装置であることを特徴とする電子決済システムである。
【０００７】
このように、サービスの利用者は、利用内容を事前に確認することが可能である。
また、サービスによって異なる通信路が自動的に設定されるので、利用者は、手数をかけずに、簡単にサービスを利用することが可能である。
【０００８】
本願発明の第２の発明は、前記支払決済装置は、前記支払決済装置は、開設された通信路を用いて支払方法特定情報を含む残額更新指示を送信する更新情報送信手段を備える決済装置であって、前記携帯端末装置は、開設された通信路を用いて残額更新指示を受信して、残額更新指示の支払方法特定情報を用いて、ＩＣカードが記憶する管理データの中の該当する支払方法特定情報に関連付けられた残額データを抽出して、この抽出した残額から請求額を減額して残高データを更新する残額データ更新手段、を備える端末装置である、ことを特徴とする請求項１に記載の電子決済システムである。
【０００９】
本願発明の第３の発明は、前記携帯端末装置は、前記支払方法候補抽出手段が、さらに、抽出した支払方法特定情報の残額データをＩＣカードが記憶する管理データを参照して抽出して、この抽出した残額データと支払方法応答要求に含まれる請求額データとを比較して、残額データの値が小さくなければ、この残額データに関連づけられた支払方法特定情報を抽出することを特徴とする請求項１または請求項２に記載の電子決済システムである。
【００１０】
本願発明の第４の発明は、通信路情報を含む支払方法特定情報と、請求額データと、を記憶する記憶部と、非接触型ＩＣカード読取書込器と、請求額データと支払方法特定情報とを含む支払方法応答要求を作成して、これを携帯端末装置に送信する応答要求手段と、携帯端末装置が送信する通信路開設請求を受信して、請求された通信路を開設して、開設通知を返信する通信路開設手段と、開設された通信路を用いて支払方法応答を受信して、支払方法応答に含まれる支払方法特定情報と記憶部が記憶する請求額データとを用いて、支払決済する決済手段と、を備えることを特徴とする支払決済装置である。
【００１１】
本願発明の第５の発明は、開設された通信路を用いて支払方法特定情報を含む残額更新指示を送信する更新情報送信手段を備えることを特徴とする請求項４に記載の支払決済装置である。
【００１２】
本願発明の第６の発明は、非接触型ＩＣカードを内蔵する携帯端末装置と、非接触型ＩＣカード読取書込器を有する支払決済装置とが無線接続されて構成される電子決済システムであって、前記支払決済装置は、通信路情報を含む支払方法特定情報と、請求額データと、を記憶する記憶部と、請求額データと支払方法特定情報とを含む支払方法応答要求を作成して、これを非接触型ＩＣカードに送信する応答要求手段と、携帯端末装置が送信する通信路開設請求を受信して、請求された通信路を開設して、開設通知を返信する通信路開設手段と、開設された通信路を用いて支払方法応答を受信して、支払方法応答に含まれる支払方法特定情報を抽出して、この抽出した支払方法特定情報と記憶部が記憶する請求額データとを用いて、支払決済する決済手段と、を備える決済装置であって、前記非接触型ＩＣカードは、支払決済装置が送信する支払方法応答要求を受信してこれを携帯端末装置に転送する応答要求受付手段と、を備えるＩＣカードであって、前記携帯端末装置は、通信路情報と優先順位情報とを対応させた対応データを記憶する記憶部と、支払方法特定情報と残額データを関連付けた管理データを記憶するＩＣカードと、非接触型ＩＣカードが転送する支払方法応答要求を受信する応答要求受付手段と、応答要求受付手段が受信した支払方法応答要求に含まれる支払方法特定情報と、ＩＣカードが記憶する管理データの支払方法特定情報と比較して、支払可能な支払方法特定情報を抽出する支払方法候補抽出手段と、支払方法候補抽出手段が抽出した支払方法特定情報の中から一つを選択させる支払方法選択手段と、記憶部が記憶する対応データの通信路情報と優先順位情報とを参照して、支払方法選択手段が選択した支払方法特定情報に含まれる通信路情報の中から最も優先順位の高いものを抽出して、この抽出した通信路情報を含む通信路開設請求を支払決済装置に返信する通信路開設請求手段と、支払決済装置が送信する開設通知を受信して、開設された通信路を用いて、支払方法選択手段が選択した支払方法特定情報を含む支払方法応答を送信する支払方法応答送信手段と、を備える端末装置であることを特徴とする電子決済システムである。
【００１３】
本願発明の第７の発明は、通信路情報を含む支払方法特定情報と、請求額データと、を記憶する記憶部と、非接触型ＩＣカード読取書込器と、請求額データと支払方法特定情報とを含む支払方法応答要求を作成して、これを非接触型ＩＣカードに送信する応答要求手段と、携帯端末装置が送信する通信路開設請求を受信して、請求された通信路を開設して、開設通知を返信する通信路開設手段と、開設された通信路を用いて支払方法応答を受信して、支払方法応答に含まれる支払方法特定情報と記憶部が記憶する請求額データとを用いて、支払決済する決済手段と、を備えることを特徴とする支払決済装置である。
【００１４】
本願発明の第８の発明は、支払方法特定情報と残額データを関連付けた管理データを記憶するＩＣカードと、請求額データと、通信路情報と優先順位情報とを対応させた対応データと、を用いる電子決済方法であって、非接触型ＩＣカードを内蔵する携帯端末装置と、非接触型ＩＣカード読取書込器を有する支払決済装置とが無線接続されて構成される電子決済システムであって、（１）支払決済装置は、支払方法特定情報と請求額データと通信路情報とを含む支払方法応答要求を作成して、これを携帯端末装置に送信する支払方法応答要求ステップと、（２）携帯端末装置は、支払決済装置が送信する支払方法応答要求を受信する支払方法応答要求受付ステップと、（３）携帯端末装置は、支払方法応答要求に含まれる支払方法特定情報と、ＩＣカードの管理データの支払方法特定情報と比較して、支払可能な支払方法特定情報を抽出する支払方法候補抽出ステップと、（４）携帯端末装置は、支払方法候補抽出ステップで抽出した支払方法特定情報の中から一つを選択させる支払方法選択ステップと、（５）携帯端末装置は、選択させた支払方法特定情報に対応付けられた通信路情報を抽出して、記憶部が記憶する対応データの通信路情報と優先順位情報とを参照して、この抽出された通信路情報の中から最も優先順位の高い通信路情報を抽出して、この抽出された通信路情報を含む通信路開設請求を支払決済装置に返信する通信路開設請求ステップと、（６）支払決済装置は、携帯端末装置が送信する通信路開設請求を受信して、請求された通信路を開設して、開設通知を返信する通信路開設ステップと、（７）携帯端末装置は、支払決済装置が送信する開設通知を受信して、開設された通信路を用いて、支払方法選択ステップで選択された支払方法特定情報を含む支払方法応答を送信する支払方法応答送信ステップと、（８）支払決済装置は、開設された通信路を用いて支払方法応答を受信して、支払方法応答に含まれる支払方法特定情報と請求額データとを用いて、支払決済する電子決済ステップと、を含んだ手順でなされることを特徴とする電子決済方法である。
【００１５】
本願発明の第９の発明は、（１）支払決済装置は、電子決済ステップにて支払決済した後に、開設された通信路を用いて支払方法特定情報を含む残額更新指示を送信する更新情報送信ステップと、（２）携帯端末装置は、開設された通信路を用いて残額更新指示を受信して、残額更新指示の支払方法特定情報を用いて、ＩＣカードが記憶する管理データの中の該当する支払方法特定情報に関連付けられた残額データを抽出して、この抽出した残額から請求額を減額して残高データを更新する残額データ更新ステップと、を含んだ手順でなされることを特徴とする請求項８に記載の電子決済方法である。
【００１６】
本願発明の第１０の発明は、前記支払方法候補抽出ステップが、さらに、抽出した支払方法特定情報の残額データをＩＣカードが記憶する管理データを参照して抽出して、この抽出した残額データと支払方法応答要求に含まれる請求額データとを比較して、残額データの値が小さくなければ、この残額データに関連づけられた支払方法特定情報を抽出する、ことを特徴とすることを特徴とする手順を含んだ請求項８または請求項９に記載の電子決済方法である。
【００１７】
本願発明の第１１の発明は、コンピュータに組込むことによって、コンピュータを請求項１から３のいずれか１項に記載の電子決済システムとして動作させるコンピュータプログラムである。
【００１８】
本願発明の第１２の発明は、請求項１１に記載のコンピュータプログラムを記録したコンピュータ読取り可能な記録媒体である。
【００１９】
本願発明の第１３の発明は、コンピュータに組込むことによって、コンピュータを請求項４または請求項５に記載の支払決済装置として動作させるコンピュータプログラムである。
【００２０】
本願発明の第１４の発明は、請求項１３に記載のコンピュータプログラムを記録したコンピュータ読取り可能な記録媒体である。
【００２１】
本願発明の第１５の発明は、コンピュータに組込むことによって、コンピュータを請求項６または請求項７に記載の支払決済装置として動作させるコンピュータプログラムである。
【００２２】
本願発明の第１６の発明は、請求項１５に記載のコンピュータプログラムを記録したコンピュータ読取り可能な記録媒体である。
【発明の効果】
【００２３】
本願発明によれば、
（１）サービスの提供を受ける前にその内容を確認することが可能である。
（２）簡単な仕組の電子決済システムを用いて、複数のサービスを利用することが可能である。
従って、本発明によれば、常に安心してサービスを利用できるという効果がある。
【発明を実施するための最良の形態】
【００２４】
以下、図面等を参照しながら、本発明の実施の形態について、更に詳しく説明する。
【００２５】
図１は、本発明による電子決済システム１の概要を説明する図である。
電子決済システム１は、非接触型ＩＣカードを内蔵する携帯端末装置１００と、非接触型ＩＣカード読取書込器２０４を有する支払決済装置２００とが無線接続して構成される。
【００２６】
携帯端末装置１００の所有者が、携帯端末装置１００を支払決済装置２００の非接触型ＩＣカード読取書込器２０４に接近させると、支払決済装置２００が提供する支払い方法の一覧が、携帯端末装置１００に表示され、その中から所有者により選択された支払方法にて支払決済装置２００は電子決済する。
電子決済には、電子決済や定期券改札管理などがある。
【００２７】
携帯端末装置１００が有する非接触型ＩＣカードは、非接触型ＩＣカード読取書込器２０４にほとんど接触するほどに接近させることで、支払決済装置２００と接続することができる。
【００２８】
携帯端末装置１００と支払決済装置２００とは無線接続する。
携帯端末装置１００は、非接触型ＩＣカードを内蔵する携帯電話やＰＤＡ（Personal Digital Assistantの略。携帯情報端末装置）やスマートフォンに後述する専用プログラムを搭載したものである。
【００２９】
支払決済装置２００は、電子レジスタ（＝電子レジ）のような支払決済装置２００ａや、電子改札機を制御する駅サーバ装置２００ｂである。
支払決済装置２００は、非接触型ＩＣカード読取書込器２０４（以下、リーダライタ）を有し、無線接続部を有するネットワーク４００と接続される。
【００３０】
ここで、無線接続の通信規格とは、ISO/IEC 21481などの近距離無線通信規格、IEEE802.15（Bluetoothなど）、IEEE802.11（Wi-Fi）、WCDMAなどの携帯電話用無線、IEEE802.16（無線ブロードバンド）などである。
【００３１】
たとえば、携帯端末装置１００が携帯電話接続する場合には、携帯電話は、基地局と電話接続してゲートウェーを介してネットワーク４００に接続して、支払決済装置２００と接続する。
【００３２】
図２は、電子決済システム１の大まかな処理の流れを説明する図である。
以下に、電子決済を例にして説明する。
【００３３】
《１．電子決済の準備》
支払決済装置２００は、電子決済に必要なデータ（たとえば、支払決済の請求額）の準備をする（図２（１））。
【００３４】
《２．支払方法の提示》
携帯端末装置１００の所有者は、携帯端末装置１００をリーダライタ２０４に接近させる（同（２））。
非接触型ＩＣカード読取書込器２０４は、接近した携帯端末装置１００を検知して、支払決済装置２００に知らせる（同（３））。
支払決済装置２００は、接近した携帯端末装置１００に支払方法を応答するように支払方法応答要求を送信する（同（４））。
《３．支払方法の選択》
携帯端末装置１００は、支払決済装置２００から支払方法応答要求を受け付けて、支払方法選択画面を表示して、支払方法の選択情報の入力を受け付ける（同（５））。
【００３５】
《４．メッセージ通信路の開設》
携帯端末装置１００は、選択された支払方法を支払決済装置２００に応答するための通信路開設を支払決済装置２００に請求する（同（６））。
支払決済装置２００は、携帯端末装置１００から開設請求を受け付けて、携帯端末装置が支払方法を応答するための通信路を開設して開設通知を返信する（同（７））。
ここで、通信路とは、使用する通信規格で設定される通信路である。
たとえば、開設された通信路の形態は、リーダライタや、携帯電話の回線や、無線ＬＡＮである。
開設された通信路がリーダライタ２０４である場合には、持ち主は、携帯端末装置１００をリーダライタ２０４に再度、接近させる（＝かざす）。
開設された通信路が携帯電話の回線や、無線ＬＡＮである場合には、携帯端末装置１００が携帯電話回線や無線ＬＡＮに自動的に接続する。
【００３６】
《５．支払決済処理》
１００は、支払決済装置２００が返信した開設通知を受け取って、開設された通信路を用いて選択された支払方法を応答する（同（８））。
支払決済装置２００は、開設された通信路を用いた応答により知らされた支払方法にて、準備した電子決済の請求額データによる支払決済を処理する（同（９））。
【００３７】
《６．携帯更新処理》
支払決済装置２００は、開設された通信路を用いて更新指示（たとえば、残額の更新指示）を送信する（同（１０））。
携帯端末装置１００は、開設された通信路を用いて送信された残額更新指示を受け取り、残額を更新する（同（１１））。
【００３８】
ここで、まず、支払方法応答要求について説明する。
図３は、支払方法応答要求２９１を説明する図である。図３の（ａ）は、支払方法応答要求２９１の形式を説明する図である。
支払方法応答要求２９１は、要求ＩＤ２９１ａと、要求種別２９１ｂと、要求補完情報２９１ｃと、表示情報２９１ｄと、応答通信手段リスト２９１ｇと、から構成される。
要求ＩＤ２９１ａは、支払方法応答要求を識別する情報である。
要求種別        ２９１ｂは、電子決済の種別を定義する情報である。サービスの種別とは、たとえば、電子支払や定期券・乗車券や、電子チケット提示などである。
要求補完情報２９１ｃは、要求種別を補足する文字列情報である。
表示情報        ２９１ｄは、携帯端末装置１００で表示させる文字列情報である。表示情報はＨＴＭＬ形式で記述してもよい。表示情報２９１ｄは、携帯端末装置１００の所有者がこれから行うことの意味（たとえば、「支払い明細」や「認証の目的」）を説明するもので、
応答通信手段リスト２９１ｇは、応答通信手段種別情報２９１ｅと、これに対応する通信パラメータ２９１ｆとから構成される情報である。応答通信手段種別情報２９１ｅとは、たとえば、BluetoothやWi-Fiや無線ブロードバンド（=電話無線）やリーダライタ（＝Ｒ／Ｗ）などである。このとき、データの送信方法（たとえば、電子メールや、ＵＲＬなど）をあわせて記載してもよい。
【００３９】
図３の（ｂ）は、支払方法応答要求の例である。
図３には、支払方法応答要求が例示されている。たとえば、要求ＩＤ２９１ａが「ID579」で、要求種別２９１ｂが「電子支払」で、要求補完情報２９１ｃが「クレジットカード「○□△」  電子マネー「スモモ」  ポイントカード「ヒジリバシ」買物総額￥980」で、表示情報２９１ｄが「買物リスト  ・清涼飲料  ・パン    ・・」で、応答通信手段リスト２９１ｇが「１．Bluetooth  ２．Ｒ／Ｗ」である、支払方法応答要求２９１ｘが例示されている。
【００４０】
この支払方法応答要求２９１ｘの意味は、要求ＩＤ２９１ａが「ID579」の支払方法応答要求２９１は、「電子支払」の支払方法を応答するように携帯端末装置の持ち主に要求するもので、持ち主が利用できる支払い方法には、クレジットカード「○□△」と、電子マネー名称「スモモ」と  ポイントカード「ヒジリバシ」とがであって、支払い総額は「￥980」で、携帯端末装置１００で表示させる情報の一部には「買物リスト  ・清涼飲料  ・パン    ・・」があり、電子支払に用いることができる通信手段は、「Bluetooth」と「Ｒ／Ｗ」とであるということである。
【００４１】
あるいは、要求ＩＤ２９１ａが「ID371」で、要求種別２９１ｂが「電子チケット提示」で、要求補完情報２９１ｃが「チケット「ぺあ」  チケット「セカイ」  チケット名称「×＊▽コンサート」」で、表示情報２９１ｄが「入場チケットの提示」で、応答通信手段リスト２９１が「１．Ｒ／Ｗ  ２．電話無線  電子メール」である、支払方法応答要求２９１ｙが例示されている。
【００４２】
この支払方法応答要求２９１ｙの意味は、要求ＩＤ２９１ａが「ID371」の支払方法応答要求２９１は、「電子チケット提示」を要求するもので、利用できるチケット扱い会社が、「チケット「ぺあ」と、チケット「セカイ」とであって、使用するチケットは「×＊▽コンサート」で、携帯端末装置１００で表示させる情報の一部には「入場チケットの提示」があり、電子支払に用いることができる通信手段は、「Ｒ／Ｗ」か「電話無線の電子メール」であるとであるということである。
【００４３】
あるいは、要求ＩＤ２９１ａが「ID396」で、要求種別２９１ｂが「個人認証」で、要求補完情報２９１ｃが「ＰＣログイン認証」で、表示情報２９１ｄが「ＰＣにログイン」で、応答通信手段リスト２９１        が「Ｒ／Ｗ」である支払方法応答要求２９１ｚが例示されている。
【００４４】
この支払方法応答要求２９１ｚの意味は、要求ＩＤ２９１ａが「ID396」の支払方法応答要求２９１は、「個人認証」を要求するもので、「ＰＣログイン認証」するために携帯端末装置１００には「ＰＣにログイン」が表示されて、通信手段はＲ／Ｗを用いるということである。
【００４５】
次に、図４を用いて、店舗の電子レジで、携帯電話の電子マネーで支払いをする処理の流れを説明する。
図４は、携帯電話（＝携帯端末装置）による電子レジ（＝支払決済装置）での支払決済処理の手順を説明する図である。
【００４６】
《１．電子決済の準備》
電子レジ２００は、販売した商品のＰＯＳデータの入力を受け付けて、請求額を算出する（図２（１））。
【００４７】
《２．支払方法の提示》
携帯電話１００の所有者は、携帯電話１００を電子レジ２００のリーダライタ２０４に接近させる（同（２））。
リーダライタ２０４は、接近した携帯電話１００を携帯検知して、支払決済装置２００に知らせる（同（３））。
電子レジ２００は、接近した携帯電話１００に請求額と支払い方法の候補と通信方法の候補を含んだ支払方法応答要求２９１を送信する（同（４））。
【００４８】
《３．支払方法の選択》
携帯電話１００は、電子レジ２００から支払方法応答要求２９１を受け付けて、請求額と支払い方法を読み取る（同（５−１））。
携帯電話１００は、各支払い方法の残高を調べて、請求額を支払える支払い方法（＝使用可能な支払い方法）を抽出する（同（５−２））。
携帯電話１００は、抽出した支払い方法から構成される支払選択画面を表示する（同（５−３））。
携帯電話１００は、支払い方法を選択した情報の入力を受け付けて、通信方法の候補の中から予め設定された優先度が最も高い通信方法を抽出する（同（５−４））。
【００４９】
《４．メッセージ通信路の開設》
携帯電話１００は、抽出された通信路の開設請求を電子レジ２００に送信する（同（６））。
電子レジ２００は、携帯電話１００から開設請求を受け付ける（同（７−１））。
電子レジ２００は、て、請求された通信路を開設して開設通知を返信する（同（７−２））。
【００５０】
《５．支払決済処理》
電子レジ２００が返信した開設通知を受け取る（同（８−１））。
携帯電話１００は、開設された通信路を用いて選択された支払い方法情報と支払額情報を含んだ支払方法応答を電子レジ２００に送信する（同（８−２））。
電子レジ２００は、開設された通信路を用いて送信された支払方法応答を受け付ける（同（９−１））。
電子レジ２００は、選択された支払い方法で、請求額の支払い決済処理をする（同（９−１））。
【００５１】
《６．携帯更新処理》
電子レジ２００は、開設された通信路を用いて支払方法特定情報や請求額を含む更新指示を送信する（同（１０））。
携帯電話１００は、開設された通信路を用いて送信された更新指示を受け取り、選択された支払い方法の残高から更新指示の請求額を減額して、残高を更新する（同（１１））。
【００５２】
図６は、支払決済装置２００の詳細な構成図である。
支払決済装置２００は、ＣＰＵ２０１と、リーダライタ２０４と、ネットワーク接続部２０５と、記憶部２０９と専用プログラムとを備える。
【００５３】
ＣＰＵ２０１は、中央演算処理装置である。
リーダライタ２０４は、携帯電話１００や非接触型ＩＣカードと近距離無線通信する装置である。
ここで近距離無線通信の通信規格とは、ISO/IEC 21481などである。
ネットワーク接続部２０５は、ＬＡＮ接続端子である。
【００５４】
記憶部２０９は、半導体メモリや磁気メモリである。
記憶部２０９は、支払方法特定情報２９３と、請求額データ２９５と、を記憶する。
支払方法特定情報２９３は、通信路情報を含む情報である。
請求額データ２９５は、電子支払決済の請求データである。
【００５５】
支払方法応答要求手段２１０と、通信路開設手段２２０と、決済手段２３０と、を備える。これらの各手段は、それぞれの専用プログラムによって実現され、専用プログラムがＣＰＵ１０１に解釈・実行されることによって機能する。
【００５６】
応答要求手段２１０は、請求額データ２９５と支払方法特定情報２９３とを含む支払方法応答要求２９１を作成して、これを携帯端末装置に送信する。
通信路開設手段２２０は、携帯端末装置が送信する通信路開設請求を受信して、請求された通信路を開設して、開設通知を携帯端末装置に返信する。
決済手段２３０は、開設された通信路を用いて支払方法応答を受信して、支払方法応答に含まれる支払方法特定情報と、記憶部が記憶する請求額データと、を用いて、支払決済する。
【００５７】
更新情報送信手段２４０は、開設された通信路を用いて支払方法特定情報を含む更新指示を送信する。
【００５８】
図５は、携帯電話１００の詳細な構成図である。
携帯電話１００は、ＣＰＵ１０１と、入力部１０２と、表示部１０３と、非接触型ＩＣカード１０４と、電源部１０８と、記憶部１０９と専用プログラムとを備える。
【００５９】
ＣＰＵ１０１は、中央演算処理装置である。
表示部１０３は、ＬＣＤ（液晶表示デバイス）やＥＬ（有機エレクトロルミネッセンス）ディスプレーである。
入力部１０２は、ボタンキーやタッチペンやタッチパッドや表示部１０３を用いたソフトキーボードなどである。
【００６０】
無線通信部１０５は、アンテナ１０６を有する。無線通信部１０５は、アンテナ１０６を介して、無線電波を送受信する。
無線電波の通信規格は、ISO/IEC 21481や、IEEE802.15や、IEEE802.11や、IEEE802.16などである。
【００６１】
電源部１０８は、電力を蓄え、蓄えた電力を各回路に供給する。
【００６２】
非接触型ＩＣカード１０４は、非接触型ＩＣカード用リーダライタ（たとえば、支払決済装置２００のリーダライタ２０４）と近距離無線通信する。
近距離無線通信の通信規格は、ISO/IEC 21481などである。
非接触型ＩＣカード１０４は、管理データ１９３を記憶する。（ＩＣカード１０４の詳細な構成は後述する）
管理データ１９３は、支払方法特定情報と残額データを関連付けたデータである。
記憶部１０９は、半導体メモリである。
記憶部１０９は、対応データ１９１を記憶する。
対応データ１９１は、通信路情報（たとえば、通信規格名称情報）と優先順位情報とを対応させたデータである。
【００６３】
このほかに、応答要求受付手段１１０と、支払方法特定情報抽出手段１４０と、支払方法候補抽出手段１５０と、通信路開設請求手段１２０と、支払方法応答送信手段１３０と、を備える。これらの各手段は、それぞれの専用プログラムによって実現され、専用プログラムがＣＰＵ１０１に解釈・実行されることによって機能する。
【００６４】
応答要求受付手段１１０は、支払決済装置２００が送信する支払方法応答要求２９１を受信する。
【００６５】
支払方法特定情報抽出手段１４０は、支払方法応答要求に含まれる支払方法特定情報２９３と、ＩＣカードの管理データ１９３の支払方法特定情報と比較して、両者が一致した支払方法特定情報を使用可能な支払方法特定情報として抽出する。
さらに、支払方法特定情報抽出手段１４０は、支払方法応答要求２９１に含まれる請求額データ２９５と、抽出した支払方法特定情報の管理データ１９３に含まれる残額データとを比較して、残額データの値が小さくなければ、この残額データに関連づけられた支払方法特定情報を抽出してもよい。
【００６６】
支払方法選択手段１５０は、支払方法候補抽出手段が抽出した支払方法特定情報の中から一つを選択させる。
たとえば、支払方法選択手段１５０は、支払方法特定情報抽出手段が抽出した支払方法特定情報を有する支払方法選択画面を作成表示させて、選択画面の中から一つを選択させればよい。
【００６７】
通信路開設請求手段１２０は、支払方法選択手段１５０が選択した支払方法特定情報を用いて、対応データ１９１を参照して、選択した支払方法特定情報に対応した通信路情報の中から最も優先順位の高い通信路情報を抽出して、この通信路情報を含む通信路開設請求を支払決済装置に返信する。
支払方法応答送信手段１３０は、支払決済装置が送信する開設通知を受信して、開設された通信路を用いて、支払方法選択手段１５０が選択した支払方法特定情報を含む支払方法応答を送信する。
【００６８】
残額データ更新手段１６０は、開設された通信路を用いて更新指示を受信して、更新指示の支払方法特定情報を用いて、ＩＣカードが記憶する管理データ１９３の中から該当する支払方法特定情報（＝更新指示の支払方法特定情報と管理データ１９３の支払方法特定情報とを比較させて、両者が一致するときの管理データ１９３支払方法特定情報）に関連付けられた残額データを抽出させて、この残額データから請求額を減額した新たな残額データを算出して、新たな残額データを用いてＩＣカードが記憶する管理データの残額データを更新させる。
【００６９】
図７は、ＩＣカード１０４の回路ブロック図である。
ＩＣカード１０４は、ＣＰＵ１１と、接続端子１２と、無線通信回路１３と、電源用コンデンサ１４と、耐タンパメモリ１９と、専用プログラムと、を備える。
【００７０】
ＣＰＵ１１は、中央演算装置である。
接続端子１２は、携帯電話１００の接続端子板（図示せず）と接触接続する。
【００７１】
無線通信回路１３は、受信した電磁波を復調して、制御信号を取り出す。あるいは、電磁波を送出するための搬送波を発生させ、デジタル情報を電波に変換する。
無線通信回路１３は、支払決済装置２００のリーダライタ２０４と近距離無線通信にて接続する。
近距離無線通信の通信規格は、ISO/IEC 21481である。
【００７２】
電源用コンデンサ１４は、アンテナコイル１３ａを有する。
電源用コンデンサ１４は、アンテナコイル１３ａで受信した無線電波の電磁波エネルギー
（＝電力）を蓄え、各回路に蓄えた電力を供給する。
【００７３】
耐タンパメモリ１０９は、半導体メモリである。
耐タンパメモリ１０９は、不揮発性メモリである。耐タンパメモリ１０９は、管理データ１９３を記憶する。
【００７４】
そのほかに、管理データ更新手段１５を備える。
管理データ更新手段１５は、携帯電話１００から支払方法特定情報を含む残額要求を受け取ったら、耐タンパメモリ１０９が記憶する残額データ１９３の支払方法特定情報を比較して、両者が一致する支払方法特定情報に関連付けられた残額データを返信して、携帯電話１００が算出した新たな残額データを受け取って、これを用いて管理データ１９３の残額データを更新する。
【００７５】
なお、支払決済装置２００の非接触型ＩＣカード読取書込器２０４は、携帯電話１００に内蔵される非接触型ＩＣカード１０４の接近を検知して、支払決済装置２００が提供する支払い方法の一覧を携帯端末装置１００に表示させてもよい。
この場合には、非接触型ＩＣカード１０４は、さらに、応答要求受付手段１６を備える。
応答要求受付手段１６は、支払決済装置２００が送信する支払方法応答要求２９１を受信して、これを携帯電話１００に転送する。
携帯電話１００は、応答要求受付手段１１０の代わりに応答要求受信手段１１１を備える。応答要求受信手段１１１は、非接触型ＩＣカードが転送する支払方法応答要求を受信する。
【図面の簡単な説明】
【００７６】
【図１】本発明による電子決済システム１の概要を説明する図
【図２】電子決済システム１の大まかな処理の流れを説明する図
【図３】支払方法応答要求２９１を説明する図
【図４】携帯電話による電子レジでの支払決済処理の手順を説明する図
【図６】支払決済装置２００の詳細な構成図
【図５】携帯電話１００の詳細な構成図
【図７】ＩＣカード１０４の回路ブロック図
【符号の説明】
【００７７】
１  電子決済システム
１５  管理データ更新手段
１００  携帯端末装置、携帯電話
１０４  非接触型ＩＣカード
１１０  応答要求受付手段
１２０  通信路開設請求手段
１３０  支払方法応答送信手段
１４０  支払方法特定情報抽出手段
１５０  支払方法候補抽出手段
１６０  残額データ更新手段
１９１  対応データ
１９３  通信路情報
２００  支払決済装置、電子レジ
２０４  非接触型ＩＣカード読取書込器、リーダライタ
２１０  応答要求手段
２２０  通信路開設手段
２３０  決済手段
２４０  更新情報送信手段
２９１  支払方法応答要求
２９３  残額データ
２９５  請求額データ
【図１】
2009205234.tif 000003
【図２】
2009205234.tif 000004
【図３】
2009205234.tif 000005
【図４】
2009205234.tif 000006
【図５】
2009205234.tif 000007
【図６】
2009205234.tif 000008
【図７】
2009205234.tif 000009